(57)【要約】【課題】利便性と電流消費の少ない電子キーシステムの構築がむずかしいという課題があった。【解決手段】電子キー２０Ａは、所定の周期で間欠的に電波を送信する第一の送信手段２と、第一の送信手段２で送信した電波に対する応答電波を受信する第一の受信手段３とを有し、第一の送信手段２は第一の受信手段３で受信する応答電波に含まれる情報或いは受信レベルに応じて電波を送信する所定の周期の時間間隔を変更する構成である。【選択図】図１
2006348504.tif 000002
【特許請求の範囲】
【請求項１】
所定の周期で間欠的に電波を送信する第一の送信手段と、前記第一の送信手段で送信した電波に対する応答電波を受信する第一の受信手段とを有し、前記第一の送信手段は前記第一の受信手段で受信する前記応答電波に含まれる情報或いは受信レベルに応じて電波を送信する前記所定の周期の時間間隔を変更する構成とした送受信装置。
【請求項２】
所定の周期で間欠的に受信動作を所定時間行う第二の受信手段と、前記第二の受信手段で受信した電波に対する応答電波を送信する第二の送信手段とを有し、前記第二の受信手段は受信した電波に含まれる情報或いは受信レベルに応じて受信動作を間欠的に行う前記所定の周期の時間間隔を変更する構成とした送受信装置。
【請求項３】
所定の周期で間欠的に電波を送信する第一の送信手段と、前記第一の送信手段で送信した電波に対する応答電波を受信する第一の受信手段と、ドアの施錠或いは開錠を行う錠制御手段とを有し、前記第一の送信手段は前記第一の受信手段で受信する前記応答電波に含まれる情報或いは受信レベルに応じて電波を送信する前記所定の周期の時間間隔を変更する構成であり、前記錠制御手段は前記第一の受信手段で受信した前記応答電波に含まれる情報或いは受信レベルに応じて施錠／開錠の制御を行う錠制御装置。
【請求項４】
所定の周期で間欠的に受信動作を所定時間行う第二の受信手段と、前記第二の受信手段で受信した電波に対する応答電波を送信する第二の送信手段と、ドアの施錠或いは開錠を行う錠制御手段とを有し、前記第二の受信手段は受信した電波に含まれる情報或いは受信レベルに応じて受信動作を間欠的に行う前記所定の周期の時間間隔を変更する構成であり、前記錠制御手段は前記第二の受信手段で受信した電波に含まれる情報或いは受信レベルに応じて施錠／開錠の制御を行う錠制御装置。
【請求項５】
請求項１〜４のいずれか１項記載の送受信装置或いは錠制御装置の少なくとも一部をコンピュータに実現させるためのプログラム。
【発明の詳細な説明】
【技術分野】
【０００１】
本発明は、ドアの施錠、開錠を無線通信を用いた電子照合で行う、送受信装置、錠制御装置、及びプログラムに関するものである。
【背景技術】
【０００２】
近年、ピッキングや錠のこじ開けなどのセキュリティ対策として鍵穴を有しない電子錠システムが普及してきている。さらに進んで電子キーと呼ばれる識別コードを送信する送信機を所有する人がドアに近づくだけでドアの開錠電子錠システムが普及してきている。
【０００３】
このような電子錠システムにおいて、電子キーを所有する人がドアの近くにいるのかを識別し、ドアの開錠、施錠を制御することがセキュリティを高める上で重要である。この点を考慮した先行技術としては特許文献１に開示された技術があり、以下にその概略を説明する。
【０００４】
図３には、従来の形態に係る住宅用ドア自動開閉システム１５０の概略構成が示されている。この図に示されるように、住宅用ドア１６には、屋外側に露出する屋外アンテナ部１５２と、屋内側に露出する屋内アンテナ部１５４とが配設されている。屋外アンテナ部１５２の内部には、図示しないが、送信回路及び送信アンテナ並びに受信回路及び受信アンテナが配設されている。同様に、屋内アンテナ部１５４の内部には、図示しないが、送信回路及び送信アンテナ並びに受信回路及び受信アンテナが配設されている。
【０００５】
これらの屋外アンテナ部１５２及び屋内アンテナ部１５４は電子キー制御部１４と接続されており、電子キー制御部１４が作動している間、常時、電子キー１５６に対して固有の識別情報の発信を要求するリクエスト情報（信号）が、送信アンテナから間欠的に発信されるようになっている。
【０００６】
なお、図３の二点鎖線Ａ１は屋外アンテナ部１５２の送信アンテナから発信されたリクエスト情報の到達領域（到達圏）を表しており、二点鎖線Ａ２は屋内アンテナ部１５４の送信アンテナから発信されたリクエスト情報の到達領域（到達圏）を表している。
【０００７】
一方、電子キー１５６には、キーアンテナ部１５８が設けられている。キーアンテナ部１５８の内部には、図示しないが、送信回路及び送信アンテナ並びに受信回路及び受信アンテナが配設されている。電子キー１５６では、受信アンテナによってリクエスト情報が受信されると、送信アンテナから固有の識別情報が発信されるようになっている。
【０００８】
上記構成の住宅用ドア自動開閉システム１５０によれば、電子キー制御部１４が作動している間、常時、屋外アンテナ部１５２の送信アンテナ並びに屋内アンテナ部１５４の送信アンテナから各々リクエスト情報が間欠的に発信されているため、電子キー１５６の使用者が玄関ドア１６に近づき、リクエスト情報の到達領域（到達圏）Ａ１内に入ると、当該電子キー１５６のキーアンテナ部１５８の受信アンテナによって受信される。
【０００９】
このため、電子キー１５６の送信アンテナから固有の識別情報が発信され、屋外アンテナ部１５２の受信アンテナによって受信される。固有の識別情報が受信されると、電子キー制御部１４によって当該固有の識別情報と予め記憶された登録情報とが照合される。
【００１０】
その結果、認証された場合には、ドア開放制御部２６によって電動サムターン１８のロックが解除（解錠）され、続いてラッチ部２０のラッチが解除される。これにより、玄関
ドア１６は開放可能な状態となる。そこで、次にドア開放機構部２４が作動され、玄関ドア１６が所定開度開放される。なお、玄関ドア１６が開放動作を行うのに伴ってドアクローザ２２に閉止方向への付勢力が蓄積される。
【００１１】
上記の玄関ドア１６の開放状態は、電子キー制御部１４によって識別情報と登録情報との一致が認証されている間、即ちリクエスト情報の到達領域Ａ１及びＡ２内において電子キー１５６と電子キー制御部１４との間で行われる双方向通信により識別情報と登録情報との一致が認証されている間、維持される。
【００１２】
従って、使用者はその間にスムーズに玄関ドア１６の内側に入ることができる。そして、使用者が玄関ドア１６の内側に入ってリクエスト情報の到達領域Ａ２から出ていくと、屋内アンテナ部１５４の送信アンテナから発信されたリクエスト情報が電子キー１５６のキーアンテナ部１５８の受信アンテナに受信されなくなり（届かなくなり）、その結果として電子キー１５６の送信機から固有の識別情報も発信されなくなるので、その時点でドア開放制御部２６によってドア開放機構部２４による玄関ドア１６の開放状態が解除され、ドアクローザ２２に蓄積された付勢力によって玄関ドア１６は閉止される。そして、玄関ドア１６が閉止されたら、電動サムターン１８が再び施錠状態とされる。
【特許文献１】特開２００３−７４２５６号公報
【発明の開示】
【発明が解決しようとする課題】
【００１３】
しかしながら、前記従来の構成では、ドア側に設けられたアンテナからリクエスト情報が間欠的に発信されている。そして上記リクエスト情報を電子キーが受信すると電子キーより固有の識別情報を発信することにより施錠開錠制御を行っている。ここで電子キーはドアから離れている場合、前記リクエスト情報を受信できないため、リクエスト情報の発信にあわせて間欠受信を行うことは不可能である。そのため電子キーは間欠的に発信される電波を受信できるようにするため常時受信回路に電源をＯＮしておく必要があった。電子キーは携帯端末であるため、電池駆動が必須であり電池がすぐになくなるという課題があった。
【００１４】
本発明は、前記従来の課題を解決するもので、電子キーの電池寿命を伸ばす事の送受信装置、錠制御装置、及びそのプログラムを提供することを目的とする。
【課題を解決するための手段】
【００１５】
所定の周期で間欠的に電波を送信する第一の送信手段と、前記第一の送信手段で送信した電波に対する応答電波を受信する第一の受信手段とを有し、前記第一の送信手段は前記第一の受信手段で受信する前記応答電波に含まれる情報或いは受信レベルに応じて電波を送信する前記所定の周期の時間間隔を変更する構成であり、前記錠制御手段は前記受信手段で受信した電波に含まれる情報或いは受信レベルに応じて施錠或いは開錠の制御を行う構成である。
【００１６】
これによって、例えば、電子キーを所有している人がドアから離れている時は電子キーの間欠受信周期を長くし、ドアに近づくにしたがって間欠受信周期を短くできる。そのため、利便性を損なうことなく電池寿命を伸ばすことができることとなる。
【発明の効果】
【００１７】
本発明の送受信装置、錠制御装置、及びプログラムを用いることにより、利便性と電池寿命の両立を図ることができる。
【発明を実施するための最良の形態】
【００１８】
第１の発明は、所定の周期で間欠的に電波を送信する第一の送信手段と、前記第一の送信手段で送信した電波に対する応答電波を受信する第一の受信手段とを有し、前記第一の送信手段は前記第一の受信手段で受信する前記応答電波に含まれる情報或いは受信レベルに応じて電波を送信する前記所定の周期の時間間隔を変更する構成としたことにより、ドアと電子キーが離れている場合には電子キーからの定期的な送信の周期を長くし、電子キーがドアに近づくと送信周期を短くできる送受信装置を提供できる。
【００１９】
第２の発明は、所定の周期で間欠的に受信動作を所定時間行う第二の受信手段と、前記第二の受信手段で受信した電波に対する応答電波を送信する第二の送信手段とを有し、前記第二の受信手段は受信した電波に含まれる情報或いは受信レベルに応じて受信動作を間欠的に行う前記所定の周期の時間間隔を変更する構成としたことにより、ドアと電子キーが離れている場合には電子キーの間欠受信周期周期を長くし、電子キーがドアに近づくと間欠受信周期を短くできる送受信装置を提供できる。
【００２０】
第３の発明は、所定の周期で間欠的に電波を送信する第一の送信手段と、前記第一の送信手段で送信した電波に対する応答電波を受信する第一の受信手段と、ドアの施錠或いは開錠を行う錠制御手段とを有し、前記第一の送信手段は前記第一の受信手段で受信する前記応答電波に含まれる情報或いは受信レベルに応じて電波を送信する前記所定の周期の時間間隔を変更する構成であり、前記錠制御手段は前記第一の受信手段で受信した前記応答電波に含まれる情報或いは受信レベルに応じて施錠／開錠の制御を行う構成としたことにより、ドア側の送受信装置の電流消費を抑えることができ、ドア側を電池駆動可能とする錠制御装置を提供できる。
【００２１】
第４の発明は、所定の周期で間欠的に受信動作を所定時間行う第二の受信手段と、前記第二の受信手段で受信した電波に対する応答電波を送信する第二の送信手段と、ドアの施錠或いは開錠を行う錠制御手段とを有し、前記第二の受信手段は受信した電波に含まれる情報或いは受信レベルに応じて受信動作を間欠的に行う前記所定の周期の時間間隔を変更する構成であり、前記錠制御手段は前記第二の受信手段で受信した電波に含まれる情報或いは受信レベルに応じて施錠／開錠の制御を行う構成としたことにより、ドア側の送受信装置の電流消費を抑えることができ、ドア側を電池駆動可能とする錠制御装置を提供できる。
【００２２】
第５の発明は、第１〜４のいずれかの送受信装置或いは錠制御装置の少なくとも一部をコンピュータに実現させるためのプログラムとする。そして、プログラムであるので、電気・情報機器、コンピュータ、サーバー等のハードリソースを協働させて本発明の少なくとも一部を簡単なハードウェアで実現できる。また記録媒体に記録したり通信回線を用いてプログラムを配信したりすることでプログラムの配布・更新やそのインストール作業が簡単にできる。
【００２３】
以下、本発明の実施の形態について、図面を参照しながら説明する。なお、この実施の形態によって本発明が限定されるものではない。
【００２４】
（実施の形態１）
図１は本発明の第１の実施の形態における送受信装置を用いた錠制御装置と錠制御システムのブロック図を示すものである。
【００２５】
図１において、１は第一のアンテナ、２は第一の送信手段、３は第一の受信手段、４は第一の受信解読手段、５は第一の間欠周期制御手段である。そして１から５で構成される第一の送受信装置が電子キー２０Ａ（錠制御携帯端末）である。
【００２６】
６は第二のアンテナ、７は第二の送信手段、８は第二の受信手段、９は第二の受信解読手段、１０は第二の間欠周期制御手段、１１は錠制御手段、１２はアクチュエータ、１３は錠である。６から１０で構成される第二の送受信装置と１１の錠制御手段で錠制御装置２１Ａを構成している。錠制御システムは第一の送受信装置である電子キー２０Ａと錠制御装置２１Ａから構成されるシステムである。アクチュエータ１２及び錠１３は玄関ドアや自動車のドアに取り付けられている。
【００２７】
以下、第一の送受信装置である電子キー２０Ａの動作について説明する。
【００２８】
第一の送信手段２からは定期的に電波が送信される。送信間隔は例えば１０秒である。１０秒ごとに送信元を示す識別符号（以下ＩＤと呼ぶ）を含む信号を数百ミリ秒程度の短時間送信する。前記ＩＤを含む信号を送信した後しばらくの間第一の受信手段３の電源をＯＮし、受信状態を保持する。第一の受信手段３で前記ＩＤを含む送信信号に対する応答信号を所定時間待って受信しなかった場合は、第一の受信手段３の電源をＯＦＦしスリープモードに移行する。スリープモードでは前記ＩＤを含む信号を定期的に送信するために、第一の間欠周期制御手段５のみが動作している。
【００２９】
さて、第一の受信手段３で前記ＩＤを含む送信信号に対する応答信号を受信した場合、第一の受信解読手段４で受信レベルや受信内容を解読する。第一の受信手段３で受信した応答信号の受信レベルが所定の大きさＡ以上である場合、第一の間欠周期制御手段５のタイマーが１０秒から例えば１秒に変更される。したがって第一の送信手段２は１秒ごとに起動され、ＩＤを含む信号を１秒ごとに送信する。例えば前記所定の大きさの受信レベルＡとは、第一の送受信装置である電子キー２０Ａが錠１３に数１０ｍに近づいたことを示すレベルである。
【００３０】
次に第二の送受信装置を含む錠制御装置２１Ａの動作について説明する。
【００３１】
第二の受信手段８は間欠周期８秒の動作を行っている。間欠周期８秒動作の内容は、４秒間受信動作を行い、４秒間電源ＯＦＦする動作である。このような間欠受信動作により、１０秒ごとに送信されるＩＤを含む信号を２回に１回の確率で受信できる。そして第二のアンテナ６に入力した第一の送受信装置２０ＡからのＩＤを含む信号は第二の受信手段８で受信され、第二の受信解読手段９で内容が解読される。そして受信レベルが所定の大きさＢ以上であれば第二の送信手段７を起動して応答信号を送信させるとともに第二の間欠周期制御手段１０のタイマーを変更し第二の受信手段８の間欠周期を連続動作に切り替える。
【００３２】
すなわち第二の受信手段８を常に動作状態に保持する。例えば前記所定の大きさの受信レベルＢとは、第一の送受信装置である電子キー２０Ａが錠に数１０ｍに近づいたことを示すレベルである。
【００３３】
さらに第二の受信手段８で受信する前記ＩＤを含む信号の受信レベルが第一の送受信装置である電子キー２０Ａが錠に数ｍに近づいたことを示す値Ｃを示したとき、第二の受信解読手段９の働きにより、錠制御装置１１が起動される。錠制御手段１１が起動されるとアクチュエータ１２が動作し、錠１３が開錠する。
【００３４】
また、電子キー２０Ａが錠１３から遠ざかり、第二の受信手段８で受信する信号の受信レベルがＣ以下になった場合は、錠制御手段１１の制御により錠１３が施錠される。
【００３５】
さらに電子キー２０Ａが錠１３から遠ざかり、第二の受信手段８で受信する信号の受信レベルがＢ以下になった場合は、第二の間欠周期制御手段１０のタイマーが変更され、第
二の受信手段８の間欠周期をもとの８秒周期に戻すと同時に第二の送信手段７より第一の送受信装置である電子キー２０Ａに対して応答信号を送信する。前記応答信号を電子キー２０Ａが受信すると、第一の受信解読手段４により受信内容が解読され、第二の受信手段８の間欠周期が８秒に戻ったことを知る。すると第一の間欠周期制御手段５のタイマーが変更され、第一の送信手段２の定期送信が１０秒に戻る。
【００３６】
上記動作により、電子キー２０Ａがドアから離れている場合は、電子キー２０Ａは１０秒に１度送信するだけなので電流消費が小さい。またドア側の錠制御装置２１Ａも間欠受信動作をしているため電流消費を小さくできる。
【００３７】
そして、電子キー２０Ａを所持した人が玄関ドア或いは自動車に近づくと電子キーからの定期送信の間隔が１０秒から１秒に変更されると同時にドア側の錠制御装置２１Ａの第二の受信手段８は間欠動作から連続受信動作に切り替わる。そのため、人がドアに数ｍに近づいたことを１秒という小さな時間の精度で認識でき、ドアの開錠を行うことができる。
【００３８】
以上のように、利便性と電流消費の相反する事項を両立させることができる。
【００３９】
なお、第一の送信手段２の間欠動作周期を１０秒と１秒という２段階で説明したが、第一の受信手段３で受信する受信レベルの大きさにより、１０秒、３秒、１秒というように３段階或いはもっと多くの段階に分けてもよい。
【００４０】
同様に第二の受信手段８の受信周期を８秒と連続と二つで考えたが、８秒、３秒、連続と３段階或いはもっと多くの段階に分けてもよい。
【００４１】
また第二の受信手段８の受信周期の内容を４秒動作、４秒電源ＯＦＦとして説明したが、２秒動作、６秒電源ＯＦＦと動作と電源ＯＦＦの比率を変えてもかまわない。動作と電源ＯＦＦの比率を変えた場合は、第一の送信手段２からの１０秒後との定期送信を受信できる確率が変わる。したがって定期送信３回に１回、或いは４回に１回受信することを考慮してシステム設計を行う。
【００４２】
なお、電子キー２０Ａからの定期送信において、ＩＤを含む信号を所定回数繰り返して送信するようにしてもかまわない。このようにすることにより、錠制御装置２１Ａの第二の受信手段８の受信状態の時間を電源ＯＦＦの時間に比べ小さくしても第一の送信手段２からの定期送信を受信しそこなう確率を下げることができる。そして錠制御装置２１Ａの消費電流を小さくできる。錠制御装置２１Ａを電池駆動にした場合に電池寿命を長くすることができる。
【００４３】
（実施の形態２）
図２は本発明の第２の実施の形態における送受信装置を用いた錠制御装置と錠制御システムのブロック図を示すものである。
【００４４】
図１（実施の形態１）と異なる点は、第二の送受信装置である電子キー２０Ｂの構成が図１の第二の送受信装置の構成である点と、錠制御装置２１Ｂを構成する第一の送受信装置が図１の第一の送受信装置である点である。すなわち、電子キーと錠制御装置とで実施の形態１と構成を入れ替えている。
【００４５】
以下、錠制御装置２１Ｂの動作について説明する。
【００４６】
錠制御装置２１Ｂを構成する第一の送信手段２からは定期的に電波が送信される。送信
間隔は例えば１０秒である。１０秒ごとに送信元を示す識別符号（以下ＩＤと呼ぶ）を含む信号を数百ミリ秒程度の短時間送信する。前記ＩＤを含む信号を送信した後しばらくの間第一の受信手段３の電源をＯＮし、受信状態を保持する。第一の受信手段３で前記ＩＤを含む送信信号に対する応答信号を所定時間待って受信しなかった場合は、第一の受信手段３の電源をＯＦＦしスリープモードに移行する。スリープモードでは前記ＩＤを含む信号を定期的に送信するために、第一の間欠周期制御手段５のみが動作している。
【００４７】
さて、第一の受信手段３で前記ＩＤを含む送信信号に対する応答信号を受信した場合、第一の受信解読手段４で受信レベルや受信内容を解読する。第一の受信手段３で受信した応答信号の受信レベルが所定の大きさＡ以上である場合、第一の間欠周期制御手段５のタイマーが１０秒から例えば１秒に変更される。したがって第一の送信手段２は１秒ごとに起動され、ＩＤを含む信号を１秒ごとに送信する。例えば前記所定の大きさの受信レベルＡとは、電子キー２０Ｂが錠１３に数１０ｍに近づいたことを示すレベルである。
【００４８】
次に電子キー２０Ｂの動作について説明する。
【００４９】
第二の受信手段８は間欠周期８秒の動作を行っている。間欠周期８秒動作の内容は、４秒間受信動作を行い、４秒間電源ＯＦＦする動作である。このような間欠受信動作により、１０秒ごとに送信されるＩＤを含む信号を２回に１回の確率で受信できる。そして第二のアンテナ６に入力した第一の送受信装置２１ＢからのＩＤを含む信号は第二の受信手段８で受信され、第二の受信解読手段９で内容が解読される。そして受信レベルが所定の大きさＢ以上であれば第二の送信手段７を起動して応答信号を送信させるとともに第二の間欠周期制御手段１０のタイマーを変更し第二の受信手段８の間欠周期を連続動作に切り替える。すなわち第二の受信手段８を常に動作状態に保持する。例えば前記所定の大きさの受信レベルＢとは、電子キーが錠に数１０ｍに近づいたことを示すレベルである。
【００５０】
さらに第二の受信手段８で受信する前記ＩＤを含む信号の受信レベルが電子キーが錠に数ｍに近づいたことを示す値Ｃを示したとき、第二の受信解読手段９の働きにより、第二の送信手段７から開錠を要求する応答信号を送信する。
【００５１】
第一の受信手段３で上記応答信号を受信すると、第一の受信解読手段４の働きにより錠制御手段１１が起動される。錠制御手段１１が起動されるとアクチュエータ１２が動作し、錠１３が開錠する。
【００５２】
電子キー２０Ｂが錠１３から遠ざかり、第二の受信手段８で受信する信号の受信レベルがＣ以下になった場合は、施錠を要求する応答信号を第二の送信手段７から送信する。そして前記応答信号を第一の受信手段３で受信すると、錠制御手段１１の制御により錠１３が施錠される。
【００５３】
さらに電子キーが錠１３から遠ざかり、第二の受信手段８で受信する信号の受信レベルがＢ以下になった場合は、第二の間欠周期制御手段１０のタイマーが変更され、第二の受信手段８の間欠周期をもとの８秒周期に戻すと同時に第二の送信手段７より第一の受信手段３に対して応答信号を送信する。前記応答信号を第一の受信手段３が受信すると、第一の受信解読手段４により受信内容が解読され、第二の受信手段８の間欠周期が８秒に戻ったことを知る。すると第一の間欠周期制御手段５のタイマーが変更され、第一の送信手段２の定期送信が１０秒に戻る。
【００５４】
上記動作により、電子キー２０Ｂがドアから離れている場合は、電子キーは８秒ごとの間欠受信をしているので電流消費が小さい。またドア側も１０秒ごとの定期送信をしているため電流消費を小さくできる。
【００５５】
そして、電子キー２０Ｂを所持した人が玄関ドア或いは自動車に近づくと錠制御装置２１Ｂからの定期送信の間隔が１０秒から１秒に変更されると同時に電子キー２０Ｂの受信手段は間欠動作から連続受信動作に切り替わる。そのため、人がドアに数ｍに近づいたことを１秒という小さな時間の精度で認識でき、ドアの開錠を行うことができる。
【００５６】
以上のように、利便性と電流消費の相反する事項を両立させることができる。
【００５７】
なお、第一の送信手段２の間欠動作周期を１０秒と１秒という２段階で説明したが、第一の受信手段３で受信する受信レベルの大きさにより、１０秒、３秒、１秒というように３段階或いはもっと多くの段階に分けてもよい。
【００５８】
同様に第二の受信手段８の受信周期を８秒と連続と二つで考えたが、８秒、３秒、連続と３段階或いはもっと多くの段階に分けてもよい。
【００５９】
また第二の受信手段８の受信周期の内容を４秒動作、４秒電源ＯＦＦとして説明したが、２秒動作、６秒電源ＯＦＦと動作と電源ＯＦＦの比率を変えてもかまわない。前記比率を変えることにより消費電流をさらに小さくできる。動作と電源ＯＦＦの比率を変えた場合は、第一の送信手段２からの１０秒後との定期送信を受信できる確率が変わる。したがって定期送信３回に１回、或いは４回に１回受信することを考慮してシステム設計を行う。
【００６０】
なお、錠制御装置２１Ｂからの定期送信において、ＩＤを含む信号を所定回数繰り返して送信するようにしてもかまわない。このようにすることにより、電子キー２０Ｂの第二の受信手段８の受信状態の時間を電源ＯＦＦの時間に比べ小さくしても第一の送信手段２からの定期送信を受信しそこなう確率を下げることができる。そして電子キー２０Ｂの消費電流を小さくでき電池寿命を長くすることができる。
【００６１】
なお、図１及び図２の電子キー２０Ａ、２０Ｂには図示していないがスイッチがあり、前記スイッチを押すことにより、錠１３を開錠或いは施錠する要求信号を電子キーから送信し、錠１３の施錠開錠を制御することができるように構成してもよい。また電子キー２０Ａ、２０Ｂのスイッチを押すと錠１３が施錠されているか開錠されているかを知るための要求信号を送信するようにしてもよい。
【００６２】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００６３】
以上のように本発明にかかる送受信装置、錠制御装置、及びプログラムは、利便性を損なわずに電子キー及び錠制御装置の電流消費を小さくでき電池駆動を可能とする。
【図面の簡単な説明】
【００６４】
【図１】本発明の実施の形態１における電子キー及び錠制御装置のブロック図
【図２】本発明の実施の形態２における電子キー及び錠制御装置のブロック図
【図３】従来の錠制御装置及びシステムのブロック図
【符号の説明】
【００６５】
１  第一のアンテナ
２  第一の送信手段
３  第一の受信手段
４  第一の受信解読手段
５  第一の間欠周期制御手段
６  第二のアンテナ
７  第二の送信手段
８  第二の受信手段
９  第二の受信解読手段
１０  第二の間欠周期制御手段
１１  錠制御手段
１２  アクチュエータ
１３  錠
２０Ａ  電子キー（第一の送受信装置）
２０Ｂ  電子キー（第二の送受信装置）
２１Ａ  錠制御装置（第二の送受信装置を含む）
２１Ｂ  錠制御装置（第一の送受信装置を含む）
【図１】
2006348504.tif 000003
【図２】
2006348504.tif 000004
【図３】
2006348504.tif 000005